(57)【要約】【課題】出入口より逃亡しようとする犯人を確実に確保することが可能な犯人捕獲装置を提供する。【解決手段】ドア内側に両壁にワイヤ発射部とワイヤ受け部とを固着し、スイッチングによりワイヤを発射して受け部との間でワイヤを横断張設する。このワイヤはフックを取り付けている。ワイヤ発射部から発射されたフックをキャッチ部にてフックを係止する。このため、戸口から逃げ出そうとして犯人がワイヤに拘束されてドアとの間で身動きがとれなくなり、捕獲されることとなる。【選択図】図１
2011052447.tif 000002
【特許請求の範囲】
【請求項１】
ドアの左側壁面となるドア左壁およびこのドアを挟んでドアの右側の壁面となるドア右壁のいずれか一方に固設されて、スイッチング操作に応じて、ワイヤ付きのフックをドア左壁およびドア右壁の残りの他方に向かって発射するワイヤ発射部と、
上記ドア左壁およびドア右壁の残りの他方に固設されて、このワイヤ発射部から発射されたフックを係止することにより、上記ワイヤが上記ドアの内側でその戸口を横断するように張設されるキャッチ部とを備え、
この戸口から外部に逃走する犯人を上記ワイヤによりドアの外側に拘束するようにした犯人捕獲装置。
【発明の詳細な説明】
【技術分野】
【０００１】
この発明は犯人捕獲装置、詳しくは強盗などの建物内への侵入者を出口にて捕獲するための犯人捕獲装置に関する。
【背景技術】
【０００２】
一般に、コンビニエンスストアや銀行の店舗には、防犯ベルが備えられている。
ところが、上述した防犯ベルが作動したとしても、警察官やガードマンが現場に駆けつけるまでには時間を要し、その間に、犯人は店舗から難無く逃走してしまうといった問題があった。
そこで、従来、以下の文献に示す技術が提案されている。
このものは、特許文献１に示すように、店舗の出入り口の路面に粘着シート台を圧縮ガスの力により押し出す構成である。粘着シートを踏んだ犯人が動きをとれずに捕獲されるとするものである。
【先行技術文献】
【特許文献】
【０００３】
【特許文献１】特開２００２−８１２６６号公報
【発明の概要】
【発明が解決しようとする課題】
【０００４】
しかしながら、このような従来の犯人捕獲装置にあっては、粘着シート台がタイミング良く作動したとしても、犯人がこれを飛び越すことも考えられ、実効性に乏しいものと言わざるを得なかった。
【０００５】
そこで、発明者は、出入り口のドアの内側に張設したワイヤにより犯人の胴体を拘束することとし、この発明を完成させた。
【０００６】
この発明は、上記事情に鑑みてなされたもので、出入り口より逃亡しようとした犯人を確実に捕獲することが可能な犯人捕獲装置を提供することを、その目的としている。
【課題を解決するための手段】
【０００７】
請求項１に記載の発明は、ドアの左側壁面となるドア左壁およびこのドアを挟んでドアの右側の壁面となるドア右壁のいずれか一方に固設されて、スイッチング操作に応じて、ワイヤ付きのフックをドア左壁およびドア右壁の残りの他方に向かって発射するワイヤ発射部と、上記ドア左壁およびドア右壁の残りの他方に固設されて、このワイヤ発射部から発射されたフックを係止することにより、上記ワイヤが上記ドアの内側でその戸口を横断するように張設されるキャッチ部とを備え、この戸口から外部に逃走する犯人を上記ワイヤによりドアの外側に拘束するようにした犯人捕獲装置である。
【０００８】
請求項１に記載の発明によれば、犯人が逃亡しようとするとき、スイッチング操作によりドアの内側にワイヤを張設する。この張設されたワイヤは戸口を横断することとなり、犯人がこのドアを開けて戸外に出ようとするとき犯人がこのワイヤに引っ掛かる。犯人はさらにドアの外に出ると、ドアは閉まりロックされるとともに、犯人はワイヤにより拘束されてドアにはりつけられた状態となる。すなわち、犯人は捕獲されるのである。なお、ワイヤは所定強度を有する鋼線とする。また、複数本のワイヤを同時に作動させることもできる。ワイヤをドアと同色に着色してその視認を困難とすることもできる。
【０００９】
上記ワイヤ発射部は、上記フックを上記キャッチ部に向かって付勢するスプリングと、このスプリングおよびフックを保持するホルダと、このフックをホルダに係止するストッパと、上記スイッチング操作によりこのストッパによる係止を解除する解除部材とを備えている。
【００１０】
スイッチング操作に対応してストッパが解除される結果、フックはスプリングに付勢されてホルダから所定速度で飛び出し、キャッチ部に引っ掛かることとなる。すなわち、ワイヤが戸口を横断して張設されることとなる。よって、横断して張設されたワイヤに犯人が引っ掛かることとなる。
【００１１】
上記解除部材は、通電により切断するフューズを含む。
この装置によれば、スイッチング操作により通電し速やかにフックを発射させることができる。
【００１２】
上記ワイヤは鋼線である。
ワイヤを鋼線とすることで、その強度を充分に確保することができ、犯人の拘束を確実に行うことができる。鋼線ワイヤは切断がきわめて困難であるからである。
【００１３】
上記ドアは１枚ドアであって外側に向かってのみ開く構造である。または、上記ドアはスライドドアであって、犯人がドアから外側に出た後に閉止されてロックされる。
片開きドアの場合建物の外側に向かって開くことができ、内側に向かって開くことができないドアについて適用することが有用である。この場合、犯人がドアを開けて外部に逃げて、ドアを閉めると（またはドアが閉まると）、ワイヤに胴体が拘束されて前進が阻まれるとともに、後退もドアが閉まっていることで不可能となり、その場ではりつけられた状態となる。
【００１４】
スライドドアについては片開き、両開きを問わず、開放がシャットしたとき、犯人はワイヤによりスライドドアの外側に拘束されることとなる。このとき、スライドドアはその閉止がロックされる構成とする。
【００１５】
戸口を横断するように張設された上記ワイヤは、犯人の動作によりドアの内側から外側に向かって引き出され、この引き出された部分のワイヤの長さは６０〜８０ｃｍでワイヤの引き出しは停止する。
【００１６】
戸口を横断するワイヤに犯人が引っ掛かった場合、ワイヤは６０〜８０ｃｍの引き出し代があり、これ以上引き出されることがないため、犯人はドアにはりつけられた状態で確実に拘束される。このときワイヤは伸縮しない構造とする。
【発明の効果】
【００１７】
請求項１に記載の発明によれば、戸外に逃げ出そうとする犯人をドアの外で確実に拘束することができる。そのワイヤによる拘束が確実となる。また、犯人に対して無用の外傷などを与えることがない。もちろん、第三者に対して外傷を与える可能性はない。
【図面の簡単な説明】
【００１８】
【図１】この発明の一実施例に係る犯人捕獲装置の作用を示すための斜視図である。
【図２】この発明の一実施例に係る犯人捕獲装置の作用を示すための平面図である。
【図３】この発明の一実施例に係る犯人捕獲装置を示す斜視図である。
【図４】この発明の一実施例に係る犯人捕獲装置を示す模式図である。
【発明を実施するための形態】
【実施例】
【００１９】
以下、この発明の一実施例に係る犯人捕獲装置を図１〜図４に基づいて具体的に説明する。
この実施例に係る犯人捕獲装置１０は、逃亡する犯人を建物の出入口で拘束・捕獲するためのものである。これらの図において示すように、この犯人捕獲装置１０は、例えばコンビニエンスストアや銀行などの店舗や、マンションの出入口のドア１２に設置されている。適用されるドア１２としては、外開き１枚ドア、外開き２枚ドア（観音開きドア）、１枚のスライドドア、２枚のスライドドアなどである。内開きドアには適用できない。
この犯人捕獲装置１０は、ドア１２で開閉される戸口（出入り口）を屋内側で横断するようにワイヤ１４を所定のタイミングで張設するものである。すなわち、犯人が屋外へ逃走しようとする場合で、そのドア１２を開けて戸口を通り抜ける前に、戸口にワイヤ１４を横断して張設することで、犯人の胴体にワイヤ１４を引っ掛け、なおも犯人がこのドア１４から戸外に出たところで、そのドア１２が閉じてドア１２がロックすると（または内開き不可能ドアではロックしなくても）、犯人は胴体に巻き付いたワイヤ１４に拘束されて、いわばドア１２の屋外側にはりつけられた状態で確実に拘束・捕獲することができる。この場合のワイヤ１４は犯人の胴体をタイトに拘束する長さだけドア１２の外側に引っ張られて引き出されている。
【００２０】
具体的には、屋内でドアの左壁１６には所定高さ位置（犯人の胴体を拘束できる高さとして８０ｃｍ前後の高さまたは足を拘束するための４０ｃｍの高さでも良い。）にワイヤ発射部２０は固定してある。戸口の反対側でドアの右壁１８には同じ高さ位置にキャッチ部２２を固定してある。
ワイヤ発射部２０は、ドア左壁１６にねじ止めなどで固定された金属製円筒状ホルダ２８に先端フック付き円柱体であるフック２４を圧縮スプリングを介して保持してある。保持は、ストッパ３０でフック後端フランジを係止して行う。フック２４の後端フランジには、鋼線のワイヤ１４先端が強固に固着連結されている。このワイヤ１４の長さは横断するドア幅（戸口幅）、正確にはワイヤ発射部２０とキャッチ部２２との間の直線距離に対して６０〜８０ｃｍだけ長い長さとしてある。このワイヤ１４の後端はドア左壁１６などに強固に固定されている。さらには、このワイヤ１４はドア１２（屋内側の面）と同じ色に着色しておいて、ワイヤ１４を見えにくくして張設されたワイヤ１４の存在を隠すこともできる。
また、ストッパ３０によるフック２４の係止は、ストッパ（断面円形のピン）３０をホルダ２８の孔から突出させることによりストッパ３０の先端突出部分３０Ａがそのフランジに当接することで行っている。よって、この係止の解除は、ピン３０を孔から上側に引き抜くことで行われる。ピン３０の引き抜きはピン後端（上端）にモータ駆動の往復動軸を連結して行う。または、ピン３０をエアバッグに連結してもよい（スイッチング操作によるエアバッグの爆発でピンを速やかに引き抜く）。さらには、ピン３０をエアシリンダのピストンロッドの先端に連結してもよい。スイッチング操作によりエアシリンダを作動させるのである。スイッチング操作は例えば屋内の所定位置に設置したまたはポータブルの無線リモコン型の操作器によることができる。使用する電波は任意で、赤外線などとする。
キャッチ部２２は、戸口を挟んでドア右壁１８に固着されたパイプである受け筒３２で構成されている。受け筒３２は実質的に水平に配置されて上記発射部２０に対向した開口を有し、この開口に上記発射されたフック２４が飛翔して進入すると、フック２４はその下面開口に落下して突起３４（受け筒の一部）に係止・固定されることにより、フック２４は受け筒３２に強固に掛止されることとなる。なお、フック２４が突入した場合その後端に連結されたワイヤ１４も受け筒３２内に侵入することとなる。
【００２１】
この実施例に係る犯人捕獲装置１０の作動（作用）について説明する。
犯人捕獲装置１０は、その非作動時、ドア側方のドア左壁１６にワイヤ発射部２０が配設されており、この発射部２０にはワイヤ１４を連結したフック２４（飛翔体）が飛び出し可能の状態でセットされている。また、キャッチ部２２はドア右壁１８に固定されており、この結果、店舗などでその出入口の通行が可能となっている。戸口にワイヤ１４が未だ横断張設されていないからである。
さて、事件が発生し、店舗内または屋内からこのドア１２を開けて逃亡しようとする犯人を捕獲するためには、犯人が戸口から抜け出る以前に被害者がスイッチング操作することとなる。すると、防犯ベルが鳴る（防犯通報）と同時に、この犯人捕獲装置１０が起動する。すなわち、例えばタンク内で圧縮されていた窒素ガスの膨張力により、ストッパピン３０を引き抜く。この結果、ストッパ３０の解除により圧縮スプリングが作動してフック２４を前方に向かって所定速度で発射する。発射されたフック２４は受け筒３２内に飛び込みこれに掛止される。この結果、戸口を横断してワイヤ１４が張設されることとなる。この場合のワイヤ１４はややたるんだ状態でもよい。
そして、犯人がドア１２を開けて戸口から外部に出ようとすると、横断するワイヤ１４の一部が胴体に引っ掛かる。犯人が外部に出たときワイヤ１４の引き出し予定部の全長が引き出されることとなり、ワイヤ１４は胴体に緊張した状態で巻き付く。このとき、ドア１２は閉められロックされるため（スライドドアなどの場合）、または、内開きとならないため、犯人はドア１２の外側でワイヤ１４のループにより拘束されることとなる。
このように、本実施例に係る犯人捕獲装置１０によれば、第三者（被害者）が所定のスイッチング操作することにより、出入口の手前にワイヤ１４を張設することができる。この状態で、ドア１２を開けて出入口から逃亡しようとする犯人は、ドア１２の外側でドア１２とワイヤ１４ループとにより拘束され身動きがとれなくなり、その犯人を捕獲することができる。
防犯ベルは上記スイッチングに連動して鳴動するため、タイミングよく操作をすることによって、犯人を必要以上に刺激することなく捕獲することができる。その後、例えば防犯ベルにより呼び出された警備員または警察官などによって、その犯人を取り押さえることが可能になる。
【図１】
2011052447.tif 000003
【図２】
2011052447.tif 000004
【図３】
2011052447.tif 000005
【図４】
2011052447.tif 000006